(57)【要約】【課題】製造コストを低減可能なプリント基板を収容する収容ケースを備える遊技機を提供する。【解決手段】遊技機１０は、前面扉１３が開閉する筐体１１を備える。略直方体の収容ケース６０は、筐体１１の内部に配置され、略矩形のプリント基板７を収容する。収容ケース６０は、合同の箱形状に成形される一対のケース本体６１・６２と、ケース本体６１・６２の底面から隆起する一対の突起６Ａ・６Ｂと、を有する。突起６Ａの先端部には凹部６Ｃが設けられ、突起６Ｂの先端部には凸部６Ｄが設けられる。組み合わされる一対のケース本体６１・６２は、凹部６Ｃと凸部６Ｄとが嵌合する。【選択図】図３
2008110040.tif 000002
【特許請求の範囲】
【請求項１】
前面扉が開閉する筐体を備える遊技機であって、
前記筐体の内部に配置され、略矩形のプリント基板を収容する略直方体の収容ケースを備え、
前記収容ケースは、合同の箱形状に成形される一対のケース本体と、このケース本体の底面から隆起する一対の突起と、を有し、
前記一方の突起の先端部には凹部が設けられ、前記他方の突起の先端部には凸部が設けられ、組み合わされる前記一対のケース本体は、前記凹部と前記凸部とが嵌合する収容ケースを備えることを特徴とする遊技機。
【請求項２】
前記ケース本体は、前記プリント基板の四隅を固定する４つの支柱を底面の中央から立設している収容ケースを備えることを特徴とする請求項１記載の遊技機。
【請求項３】
前記ケース本体の内部を横断する一対の補強リブが前記４つの支柱の両翼に設けられる収容ケースを備えることを特徴とする請求項２記載の遊技機。
【請求項４】
前記ケース本体の内部に突出する補強リブを前記ケース本体の長手方向に連設する収容ケースを備えることを特徴とする請求項１から３のいずれかに記載の遊技機。
【請求項５】
前記プリント基板に接続するハーネスのケーブルが通過可能な一対の切り欠きを前記ケース本体の長手方向の両翼に設ける収容ケースを備えることを特徴とする請求項１から４のいずれかに記載の遊技機。
【請求項６】
前記ケース本体の内部から外部に貫通する多数の放熱孔を設ける収容ケースを備えることを特徴とする請求項１から５のいずれかに記載の遊技機。
【請求項７】
前記一対の突起には、締結具を挿入可能な貫通穴が設けられる収容ケースを備えることを特徴とする請求項１から６のいずれかに記載の遊技機。
【請求項８】
前記ケース本体の外面には、前記筐体の内部に掛止可能なＬ字片が設けられる収容ケースを備えることを特徴とする請求項１から７のいずれかに記載の遊技機。
【発明の詳細な説明】
【技術分野】
【０００１】
本発明は、遊技機に関する。特に、パチンコ機やスロットマシンなどの遊技機の遊技動作を制御する制御基板を収容するプリント基板の収容ケースの構造に関する。
【背景技術】
【０００２】
一般に、遊技機の一種であるスロットマシンは、前面扉が開閉する筐体の内部にプリント基板の収容ケースが配置されている。収容ケースに内装されるプリント基板は、スロットマシンの動作を制御する制御基板であり、ＣＰＵを始めとしてＲＡＭやＲＯＭ、カウンタなどからなる制御回路が形成されている。そして、制御回路は、スロットマシンの遊技動作を制御する制御プログラムが実行される。
【０００３】
前述のような遊技機では、制御基板に不正行為が及ばないように、収容ケースの多くは封止構造となっている。このような遊技機に対して、より不正対策の進んだプリント基板の収容ケースの封止構造を簡易に実現できる遊技機が発明されている（例えば、特許文献１参照）。
【０００４】
特許文献１による遊技機は、収容ケースを外ケース体と内ケース体とを組み合わせて構成し、その一部に封止部を形成している。そして、封止部には挿入穴が形成されており、この挿入穴に封止ねじなどを挿入して、外ケース体と内ケース体とを相互に締結し、その開放を不能にしている。又、適宜、挿入穴内に蓋部材を挿入して封止ねじをカバーし、封止ねじの取り外しが困難な構造としている。このため、収容ケースを開放する際は封止部を破壊する必要があり、その痕跡を確実に残しておくことができる、としている。
【特許文献１】特開２００５−４０３７７号公報
【発明の開示】
【発明が解決しようとする課題】
【０００５】
特許文献１による遊技機に用いられる収容ケースは、外ケース体と内ケース体とを組み合わせて収容ケースの外殻を構成している。そして、外ケース体と内ケース体とが別個の金型で成形されている。
【０００６】
外ケース体と内ケース体との形状を工夫して、同じ金型で成形し、プリント基板を収容する収容ケースが実現できれば、生産性が向上し、製造コストを低減できる。そして、以上のことが、本発明の課題といってよい。
【０００７】
本発明は、このような問題に鑑みてなされたものであり、合同の形状に成形される一対のケース本体を有し、これらのケース本体が組み合わされることで、製造コストを低減可能なプリント基板を収容する収容ケースを備える遊技機を提供することを目的とする。
【課題を解決するための手段】
【０００８】
本発明者は、上記目的を達成するため、ケース本体の底面から隆起する一対の突起を設け、一方の突起の先端部が他方の突起の先端部に嵌合する構造とし、これらのケース本体を組み合わせて、プリント基板を収容する収容ケースの外殻を構成する製造コストを低減可能な収容ケースが実現容易なことを見出し、これに基づいて、以下のような新たなプリント基板の収容ケースを備える遊技機を発明するに至った。
【０００９】
（１）  前面扉が開閉する筐体を備える遊技機であって、前記筐体の内部に配置され、略矩形のプリント基板を収容する略直方体の収容ケースを備え、前記収容ケースは、合同の箱形状に成形される一対のケース本体と、このケース本体の底面から隆起する一対の突起と、を有し、前記一方の突起の先端部には凹部が設けられ、前記他方の突起の先端部には凸部が設けられ、組み合わされる前記一対のケース本体は、前記凹部と前記凸部とが嵌合する収容ケースを備えることを特徴とする遊技機。
【００１０】
（１）の発明による遊技機は、前面扉が開閉する筐体を備えている。そして、略直方体の収容ケースを備えている。収容ケースは、筐体の内部に配置され、略矩形のプリント基板を収容する。収容ケースは、一対のケース本体と一対の突起を有している。一対のケース本体は、合同の箱形状に成形される。一対の突起は、ケース本体の底面から隆起している。一方の突起の先端部には、凹部が設けられる。他方の突起の先端部には、凸部が設けられる。そして、一対のケース本体を組み合わせると、収容ケースは、凹部と凸部とが嵌合する。
【００１１】
ここで、一対の突起は、ケース本体の長手方向と直交する中心線の両翼に線対称に配置される。先端部に凹部が設けられる一方の突起は、太軸であってよく、先端部に凸部が設けられる他方の突起は、細軸であってよい。一方のケース本体の凹部と他方のケース本体の凸部とが嵌合してよく、一方のケース本体の凸部と他方のケース本体の凹部とが嵌合してよく、一対のケース本体を組み合わせると、プリント基板を収容する収容ケースの外殻が構成できる。
【００１２】
一対のケース本体は、合同の箱形状に成形されており、例えば、各ケース本体は、一対の前方スライド金型と後方スライド金型とで成形可能である。（１）の発明による遊技機は、一対のケース本体の形状を工夫しており、同じ金型で成形できる。そして、プリント基板を収容する収容ケースが実現でき、生産性が向上し、製造コストを低減できる。
【００１３】
（２）  前記ケース本体は、前記プリント基板の四隅を固定する４つの支柱を底面の中央から立設している収容ケースを備えることを特徴とする（１）記載の遊技機。
【００１４】
プリント基板の四隅にねじなどの締結具が入る穴が設けられてよく、プリント基板が締結具で４つの支柱に固定される。例えば、締結具として、タッピングねじを用いれば、支柱にねじ加工する必要が無くなる。支柱には、タッピングねじの下穴が設けられてよく、ケース本体の成形が容易となる。
【００１５】
（３）  前記ケース本体の内部を横断する一対の補強リブが前記４つの支柱の両翼に設けられる収容ケースを備えることを特徴とする（２）記載の遊技機。
【００１６】
ケース本体の内部を横断する一対の補強リブを設けることにより、収容ケースは外部からの圧縮力や衝撃から保護できる。
【００１７】
（４）  前記ケース本体の内部に突出する補強リブを前記ケース本体の長手方向に連設する収容ケースを備えることを特徴とする（１）から（３）のいずれかに記載の遊技機。
【００１８】
補強リブをケース本体の長手方向に連設することにより、収容ケースはねじりに対して強度が大きくなる。
【００１９】
（５）  前記プリント基板に接続するハーネスのケーブルが通過可能な一対の切り欠きを前記ケース本体の長手方向の両翼に設ける収容ケースを備えることを特徴とする（１）から（４）のいずれかに記載の遊技機。
【００２０】
どちらか一方の切り欠きからハーネスのケーブルを延出してよく、両翼の切り欠きからハーネスのケーブルを延出してもよい。
【００２１】
（６）  前記ケース本体の内部から外部に貫通する多数の放熱孔を設ける収容ケースを備えることを特徴とする（１）から（５）のいずれかに記載の遊技機。
【００２２】
多数の放熱孔を設けているので、プリント基板を放熱できる。
【００２３】
（７）  前記一対の突起には、締結具を挿入可能な貫通穴が設けられる収容ケースを備えることを特徴とする（１）から（６）のいずれかに記載の遊技機。
【００２４】
ねじなど締結具を用いて、収容ケースを筐体の内部に固定できる。
【００２５】
（８）  前記ケース本体の外面には、前記筐体の内部に掛止可能なＬ字片が設けられる収容ケースを備えることを特徴とする（１）から（７）のいずれかに記載の遊技機。
【００２６】
ケース本体の外面にＬ字片が設けられているので、収容ケースを筐体の内部に容易に係止できる。
【発明の効果】
【００２７】
本発明による遊技機は、一対のケース本体が合同の箱形状に成形されており、例えば、各ケース本体は、一対の前方スライド金型と後方スライド金型とで成形可能である。本発明による遊技機は、一対のケース本体の形状を工夫しており、同じ金型で成形できる。そして、プリント基板を収容する収容ケースが実現でき、生産性が向上し、製造コストを低減できる。
【発明を実施するための最良の形態】
【００２８】
以下、図面を参照して本発明を実施するための最良の形態を説明する。
【００２９】
図１は、本発明による遊技機の一実施形態を示す正面図である。図２は、前記実施形態による遊技機の筐体の内部構造を示す斜視概観図であり、前面扉を開けた状態図である。図３は、前記実施形態による遊技機に備わる一実施形態による収容ケースの斜視分解組立図である。図４は、前記実施形態による収容ケースの斜視概観図である。図５は、前記実施形態による収容ケースの縦断面図であり、収容されるプリント基板の図示を省略している。図６は、前記実施形態による収容ケースのケース本体の縦断面図であり、このケース本体を成形するための一対の金型が配置された状態図である。
【００３０】
最初に、本発明による遊技機の構成を説明する。以下、本発明による遊技機の一種であるスロットマシンの構成を説明する。図１及び図２において、本体１２は、スロットマシン１０の外周を覆っている。スロットマシン１０は、筐体１１と、筐体１１を開閉する前面扉１３と、を備えている。筐体１１の内部にリールユニット５０が配置されている。筐体１１の内部は、棚４３で上下に仕切られており、棚４３にリールユニット５０が載置されている。
【００３１】
図２において、棚４３の下方には、投入された遊技メダルを収納、又は遊技メダルを遊技メダル受け皿４０に払い出すホッパー４５や、還元率設定スイッチ４６Ａを含む電源ボックス４６が配置されている。棚４３の上方には、プリント基板の収容ケース６０が配置されている。収容ケース６０に内装されるプリント基板７は、スロットマシン１０の動作を制御する制御基板であり、ＣＰＵを始めとしてＲＡＭやＲＯＭ、カウンタなどからなる制御回路が形成されている（図３参照）。
【００３２】
図１又は図２において、前面扉１３に形成される正面パネル２２には、矩形状の表示窓１４が設けられている。表示窓１４は、個別の表示窓１４Ｌ・１４Ｃ・１４Ｒに区画されている。リールユニット５０には、各々の外周面に複数種類の図柄が描かれた３個のリール２６Ｌ・２６Ｃ・２６Ｒが回転自在に設けられている。リール２６Ｌ・２６Ｃ・２６Ｒの各々は、表示窓１４を介して観察可能に配置されている。
【００３３】
図１において、表示窓１４の下方右側には、略水平の台座部２８が設けられており、その上面右側には、遊技者が遊技媒体である遊技メダルを入れるための投入口２５が設けられている。ここで、遊技メダルは、コイン、メダル、又はトークンと称される代用貨幣である。
【００３４】
図１において、台座部２８の上面左側には、押しボタン操作による三つのＢＥＴスイッチ２９・３０・３１が配置されている。ＢＥＴスイッチ２９は、１回の遊技に１枚の遊技メダルを賭けられる。ＢＥＴスイッチ３０は、１回の遊技に２枚の遊技メダルを賭けられる。ＢＥＴスイッチ３１は、１回の遊技に３枚の遊技メダルを賭けられる。台座部２８の前面の左側には、スタートレバー３２が傾動可能に設けられている。スタートレバー３２を遊技者が傾動操作することにより、三つのリール２６Ｌ・２６Ｃ・２６Ｒの回転が一斉に開始される。３つのリール２６Ｌ・２６Ｃ・２６Ｒが回転したときには、リール２６Ｌ・２６Ｃ・２６Ｒの各々の外周面に描かれている複数の図柄が、表示窓１４において変動表示される。
【００３５】
図１において、台座部２８の前面の中央には、３個のリール停止ボタン３４Ｌ・３４Ｃ・３４Ｒが設けられている。リール停止ボタン３４Ｌはリール２６Ｌに対応し、リール停止ボタン３４Ｃはリール２６Ｃに対応し、リール停止ボタン３４Ｒはリール２６Ｒに対応している。リール停止ボタン３４Ｌを遊技者が押動操作したときには、リール２６Ｌが停止し、リール停止ボタン３４Ｃを遊技者が押動操作したときには、リール２６Ｃが停止し、リール停止ボタン３４Ｒを遊技者が押動操作したときには、リール２６Ｒが停止する。
【００３６】
図１において、スタートレバー３２の左側には、払出しボタン３６が設けられている。遊技者が払出しボタン３６を押動操作したときには、投入されている遊技メダルが正面下部の遊技メダル払出口３８から払い出され、払い出された遊技メダルは遊技メダル受け皿４０に溜められる。
【００３７】
図１において、表示窓１４には、一点鎖線で示す横に３本（中央及び上下）及び斜めに２本の入賞ラインが設けられている。ゲーム開始に先立って、遊技者が投入口２５から１枚の遊技メダルを投入したときは中央の入賞ラインだけが有効化され、２枚の遊技メダルを投入したとき、これに上下の入賞ラインが加わり、３枚の遊技メダルを投入したとき、全ての入賞ラインが有効化される。このような入賞ラインの有効化は、各入賞ラインの両端に配置された有効化ライン表示ランプ（図示せず）が点灯することにより、遊技者に表示される。
【００３８】
次に、本発明によるスロットマシン１０に備わる収容ケースの構成を説明する。図３において、収容ケース６０は、矩形のプリント基板７を収容する。収容ケース６０は、一対のケース本体６１・６２と一対の突起６Ａ・６Ｂを有している。一対のケース本体６１・６２は、合同の箱形状に成形されている。
【００３９】
ここで、ケース本体６１とケース本体６２は、全く同じものであるが、説明の便宜上、符号を付けて区別した。以下において、ケース本体６１は、ケース本体６２を代表して説明することがある。
【００４０】
図３において、一対の突起６Ａ・６Ｂは、ケース本体６１の底面から隆起している。一方の突起６Ａの先端部には、凹部６Ｃが設けられている。他方の突起６Ｂの先端部には、凸部６Ｄが設けられている。そして、一対のケース本体６１・６２を組み合わせると、収容ケース６０は、凹部６Ｃと凸部６Ｄとが嵌合する（図５参照）。一対のケース本体６１・６２が組み合わされた収容ケース６０は、略直方体の形状となっている（図４参照）。
【００４１】
図３又は図５に示されるように、一対の突起６Ａ・６Ｂは、ケース本体６１の長手方向と直交する中心線の両翼に線対称に配置されている。先端部に凹部６Ｃが設けられる突起６Ａは、太軸となっている。先端部に凸部６Ｄが設けられる突起Ｂは、細軸となっている。そして、ケース本体６１の凹部６Ｃとケース本体６２の凸部６Ｄとが嵌合し、ケース本体６１の凸部６Ｄとケース本体６２の凹部６Ｃとが嵌合するように、一対のケース本体６１・６２を組み合わせると、プリント基板７を収容する収容ケース６０の外殻が構成できる。
【００４２】
図３に示されるように、ケース本体６１は、プリント基板７の四隅を固定する４つの支柱６Ｅ〜６Ｈを底面の中央から立設している。一方、プリント基板７の四隅には、４つの穴７Ｅ〜７Ｈが設けられている。一方の対角に位置する一対の支柱６Ｅ・６Ｇには、タッピングねじ７１の下穴が設けられており、２本のタッピングねじ７１でプリント基板７をケース本体６１に固定できる。他方の対角に位置する一対の支柱６Ｆ・６Ｈの先端には、微小突起が設けられ、これらの微小突起を一対の穴７Ｆ・７Ｈに嵌合できる。
【００４３】
図３又は図５に示されるように、ケース本体６１には、一対の補強リブ６Ｊ・６Ｋが設けられている。一対の補強リブ６Ｊ・６Ｋは、ケース本体６１の内部を横断し、４つの支柱６Ｅ〜６Ｈの両翼に設けられている。太軸の突起６Ａの近傍に配置される補強リブ６Ｊには、プリント基板７に接続するハーネス８のケーブル８１が通過可能な切り欠き６Ｌが設けられている。
【００４４】
ここで、ケース本体６１又はケース本体６２の内部を横断する一対の補強リブ６Ｊ・６Ｋを設けることにより、収容ケース６０は外部からの圧縮力や衝撃から保護できる。
【００４５】
又、図３又は図５に示されるように、ケース本体６１には、複数の補強リブ６Ｍが設けられている。これらの補強リブ６Ｍは、ケース本体６１の内部に突出し、ケース本体６１の長手方向に連設している。
【００４６】
このように、複数の補強リブ６Ｍをケース本体６１の長手方向に連設することにより、例えば、収容ケース６０は、ねじりに対して強度が大きくなる（図４参照）。
【００４７】
更に、図３に示されるように、ケース本体６１は、一対の切り欠き６Ｎ・６Ｐをその長手方向の両翼に設けている。一対の切り欠き６Ｎ・６Ｐは、重ね合わされて略矩形の開口となっている（図４参照）。この開口は、プリント基板７に接続するハーネス８のケーブル８１が通過可能となっている（図３参照）。そして、一対の切り欠き６Ｎ・６Ｐの内、どちらか一方の切り欠きからハーネス８のケーブル８１を延出してよく、両翼の切り欠き６Ｎ・６Ｐからハーネス８のケーブル８１を延出することもできる。
【００４８】
図３又は図４に示されるように、収容ケース６０は、ケース本体６１の内部から外部に貫通する多数の放熱孔６Ｑを設けている。そして、収容ケース６０は、多数の放熱孔６Ｑを設けているので、プリント基板７を放熱できる。
【００４９】
図３から図５に示されるように、突起６Ａには貫通穴６Ｒが設けられ、突起６Ｂには、貫通穴６Ｓが設けられている。貫通穴６Ｒは座ぐり穴となっている。一対のケース本体６１・６２が重ね合わされた収容ケース６０は、これらの貫通穴６Ｒ・６Ｓを利用して、締結具（図示せず）を挿入可能となっている。ねじなど締結具を用いて、収容ケース６０を筐体１１の内部に固定できる（図２参照）。
【００５０】
又、図３又は図４に示されるように、ケース本体６１の外面には、Ｌ字片６Ｔが設けられている。例えば、筐体１１の内部には、Ｌ字片６Ｔが入る矩形穴（図示せず）が設けられてよく、この矩形穴にＬ字片６Ｔが挿入された後に収容ケース６０を移動することにより、筐体１１の内部に掛止できる（図２参照）。
【００５１】
次に、本発明による遊技機に備わる収容ケースの作用を説明する。図５に示されるように、一対のケース本体６１・６２は、合同の箱形状に成形されている。図６に示されるように、ケース本体６１及びケース本体６２は、例えば、一対の前方スライド金型９１と後方スライド金型９２とで成形可能である。前方スライド金型９１は雄形の金型であってよく、後方スライド金型９２は雌形の金型であってよい。
【００５２】
なお、ケース本体６１及びケース本体６２を成形する金型は、一対の前方スライド金型９１と後方スライド金型９２に限定されない。一対の前方スライド金型９１と後方スライド金型９２とが、互い向かい合う方向と直交する方向に配置される主金型を追加してもよく、中子を適宜用いてもよい。
【００５３】
図６において、一対のケース本体６１・６２は、合成樹脂が成形されることが好ましく、アルミニウム合金などの軽量の金属が成形されてもよい。一対の前方スライド金型９１と後方スライド金型９２とを用いて、一対の突起６Ａ・６Ｂを含むケース本体６１及びケース本体６２を成形できる。一対の突起６Ａ・６Ｂは、ケース本体６１の長手方向と直交する中心線の両翼に線対称に配置されている。
【００５４】
そして、図５に示されるように、ケース本体６１の凹部６Ｃとケース本体６２の凸部６Ｄとが嵌合してよく、ケース本体６１の凸部６Ｄとケース本体６２の凹部６Ｃとが嵌合してよく、一対のケース本体６１・６２を組み合わせると、プリント基板７を収容する収容ケース６０の外殻が構成できる（図３参照）。
【００５５】
このように、本発明による遊技機は、一対のケース本体の形状を工夫しており、同じ金型で成形できる。ケース本体が図６に示されるような複雑な形状であっても、金型成形による大量生産でコストダウンが可能になる。
【００５６】
本発明による遊技機に用いられる収容ケースは、従来技術のように、外ケース体と内ケース体とが別個の金型で成形されることなく、同一の金型で成形される。そして、プリント基板を収容する収容ケースが実現でき、生産性が向上し、製造コストを低減できる。
【図面の簡単な説明】
【００５７】
【図１】本発明による遊技機の一実施形態を示す正面図である。
【図２】前記実施形態による遊技機の筐体の内部構造を示す斜視概観図であり、前面扉を開けた状態図である。
【図３】前記実施形態による遊技機に備わる一実施形態による収容ケースの斜視分解組立図である。
【図４】前記実施形態による収容ケースの斜視概観図である。
【図５】前記実施形態による収容ケースの縦断面図であり、収容されるプリント基板の図示を省略している。
【図６】前記実施形態による収容ケースのケース本体の縦断面図であり、このケース本体を成形するための一対の金型が配置された状態図である。
【符号の説明】
【００５８】
１０  遊技機（スロットマシン）
１１  筐体
１３  前面扉
６Ａ・６Ｂ  一対の突起
６Ｃ  凹部
６Ｄ  凸部
７  プリント基板
６０  収容ケース
６１・６２  一対のケース本体
【図１】
2008110040.tif 000003
【図２】
2008110040.tif 000004
【図３】
2008110040.tif 000005
【図４】
2008110040.tif 000006
【図５】
2008110040.tif 000007
【図６】
2008110040.tif 000008